(57)【特許請求の範囲】
【請求項１】
前方の両側に連結軸を貫通するガイド孔が開設された一対の支持片部を下方に向けて延設すると共に、前方の上側に立起させたストッパー片が形成された取付杆と、
上記取付杆の一対の支持片部の間に嵌挿され、前、後にスライド可能な雨樋の樋耳掛止部を備えた樋支持具本体と、
下方に開放した略コ状に形成され、その一対の両側片部に上記連結軸を貫通する軸孔が開設され、且つ、閉止された上面の内側には、上記取付杆のストッパー片と係脱可能な係止部が形成された縱回転ロックレバーと、
上記樋支持具本体を支持し、且つ、上記縱回転ロックレバーの軸孔と取付杆のガイド孔に横方向から貫通される連結軸とを備え、
上記縱回転ロックレバーの上側又は下側の操作部を持って、これをロック位置に縱回転したときには、この縱回転ロックレバーの係止部が、上記取付杆のストッパー片に乗り上げると共に、貫通された連結軸を上方に持ち上げ、この連結軸が上記樋支持具本体を取付杆に圧接して固定させる構造にしている縱回転ロック式の雨樋支持具であって、
上記取付杆と樋支持具本体の接合面の一方には、他方に向けて突出された係止凸部が形成されると共に、他方には、長手方向に形成されたスライド用長孔の側壁に凹凸が連続された上記係止凸部に係止される係止凹部を形成したことを特徴にしている縱回転ロック式の雨樋支持具。
【請求項２】
前方の両側に連結軸を貫通するガイド孔が開設された一対の支持片部を下方に向けて延設すると共に、前方の上側に立起させたストッパー片が形成された取付杆と、
上記取付杆の一対の支持片部の間に嵌挿され、前、後にスライド可能な雨樋の樋耳掛止部を備えた樋支持具本体と、
下方に開放した略コ状に形成され、その一対の両側片部に上記連結軸を貫通する軸孔が開設され、且つ、閉止された上面の内側には、上記取付杆のストッパー片と係脱可能な係止部が形成された縱回転ロックレバーと、
上記樋支持具本体を支持し、且つ、上記縱回転ロックレバーの軸孔と取付杆のガイド孔に横方向から貫通される連結軸とを備え、
上記縱回転ロックレバーの上側又は下側の操作部を持って、これをロック位置に縱回転したときには、この縱回転ロックレバーの係止部が、上記取付杆のストッパー片に乗り上げると共に、貫通された連結軸を上方に持ち上げ、この連結軸が上記樋支持具本体を取付杆に圧接して固定させる構造にしている縱回転ロック式の雨樋支持具であって、
上記取付杆と樋支持具本体の接合面の一方には、他方に向けて突出された係止凸部が形成されると共に、他方には、長手方向に断続的な穴部が複数形成された上記係止凸部に係止される係止凹部を形成したことを特徴にしている縱回転ロック式の雨樋支持具。
【請求項３】
請求項１又は２の何れかにおいて、
上記係止凸部は、複数形成されている縱回転ロック式の雨樋支持具。
【発明の詳細な説明】
【０００１】
【発明の属する技術分野】
本発明は、軒先等に取付ける雨樋支持具に関し、詳しくは、軒先等に固定される取付杆と、これとスライド可能に連結される樋支持具本体と、縱方向に回転される縱回転ロックレバーと、これらを連結する連結軸とを備え、上記取付杆の上方で縱方向に回転される縱回転ロックレバーを操作して上記樋支持具本体を取付杆に圧接して固定させる構造の縱回転ロック式の雨樋支持具の改良に関する。
【０００２】
【従来の技術】
図８は、従来の縱回転ロック式の雨樋支持具を示す概略側面図である。
【０００３】
この雨樋支持具１００は、取付杆１０１とスライド可能に連結した樋支持具本体１０２と、雨樋支持具１００の上方に樋支持具本体１０２と取付杆１０１を圧接固定させるための縱方向に回転される縱回転ロックレバー１０３を備えている。
【０００４】
また、取付杆１０１の前方には、軸孔１１１を開設し、樋支持具本体１０２には、この軸孔１１１に重合する長孔１１２を長手方向に開設している。
【０００５】
また、長孔１１２を貫通しない受座１０４を下端に設け、この受座１０４に下端を固着した軸１０５を、下方から樋支持具本体１０２の長孔１１２及び取付杆１０１の軸孔１１１に貫通し、この軸１０５の上端には、縱方向に回転する縱回転ロックレバー１０３の一端が枢着された構造にしている。
【０００６】
そして、図で示すように、縱回転ロックレバー１０３を縱方向に回転すると、この縱回転ロックレバー１０３の回転基板１０３ａの円弧部分が、上記取付杆１０１の上面で縱方向に回転することによって、軸１０５が引上げ又は引き下げされる。
【０００７】
そのため、縱回転ロックレバー１０３を一方に縱回転し、軸１０５を引き下げておけば、取付杆１０１と樋支持具本体１０２は、圧接することなく、長孔１１２の範囲でスライド可能となる。
【０００８】
そして、樋支持具本体１０２のスライド位置を調節した後、縱回転ロックレバー１０３を他方に向けて縱回転すると、軸１０５が引上げられると共に、軸１０５下端の受座１０４も引上げられる。
【０００９】
この受座１０４は、長孔１１２を貫通しないので、樋支持具本体１０２に接合してこれを上方に持ち上げる。
【００１０】
したがって、樋支持具本体１０２は、取付杆１０１に圧接固定され、そのスライドを規制できるのである。
【００１１】
【発明が解決しようとする課題】
このように、縱回転ロックレバー１０３を縱回転して操作するものは公知である。
【００１２】
しかし、従来の縱回転ロック式の雨樋支持具１００は、上下に貫通された軸１０５を縱回転ロックレバー１０３によって引き上げ又は引き下げて、樋支持具本体１０２を取付杆１０１に圧接固定する構造であるため、軸１０５の下端の受座１０４に全荷重がかかり、受座１０４が軸１０５から外れてしまい、樋支持具本体１０２が落下する危険があった。
【００１３】
また、樋支持具本体１０２には、軸１０５を貫通させて、この樋支持具本体１０２をスライドさせるための長孔１１２を必要とするので、樋支持具本体１０２の強度が弱くなる問題もあった。
【００１４】
さらに、縱回転ロックレバー１０３は、取付杆１０１の上方だけに形成されているため、これを縱回転させるときの円周の軌跡が取付杆１０１の上方では大きくなってしまい、取付杆１０１の上側に位置される軒先屋根などが邪魔になって、縱回転ロックレバー１０３を上方から操作できないという問題もあった。
【００１５】
本発明は、かかる課題を解決することを目的とするもので、軸の下端に局所的にかかる荷重を無くすと共に、樋支持具本体の強度を高め、しかも取付杆の上下何れからでも縱回転操作ができるうえ、樋支持具本体と取付杆とのスライドを確実にロックできる縱回転ロック式の雨樋支持具を提供する。
【００１６】
【課題を解決するための手段】
上記目的を達成するため、
請求項１に係る縱回転ロック式の雨樋支持具は、前方の両側に連結軸を貫通するガイド孔が開設された一対の支持片部を下方に向けて延設すると共に、前方の上側に立起させたストッパー片が形成された取付杆と、上記取付杆の一対の支持片部の間に嵌挿され、前、後にスライド可能な雨樋の樋耳掛止部を備えた樋支持具本体と、下方に開放した略コ状に形成され、その一対の両側片部に上記連結軸を貫通する軸孔が開設され、且つ、閉止された上面の内側には、上記取付杆のストッパー片と係脱可能な係止部が形成された縱回転ロックレバーと、上記樋支持具本体を支持し、且つ、上記縱回転ロックレバーの軸孔と取付杆のガイド孔に横方向から貫通される連結軸とを備え、上記縱回転ロックレバーの上側又は下側の操作部を持って、これをロック位置に縱回転したときには、この縱回転ロックレバーの係止部が、上記取付杆のストッパー片に乗り上げると共に、貫通された連結軸を上方に持ち上げ、この連結軸が上記樋支持具本体を取付杆に圧接して固定させる構造にしている縱回転ロック式の雨樋支持具であって、上記取付杆と樋支持具本体の接合面の一方には、他方に向けて突出された係止凸部が形成されると共に、他方には、長手方向に形成されたスライド用長孔の側壁に凹凸が連続された上記係止凸部に係止される係止凹部を形成したことを特徴にしている。
【００１７】
請求項１のものでは、上記取付杆と樋支持具本体の接合面の一方には、他方に向けて突出された係止凸部が形成されると共に、他方には、長手方向に形成されたスライド用長孔の側壁に凹凸が連続された上記係止凸部に係止される係止凹部を形成しているので、樋支持具本体と取付杆が所望の位置でロックされても、これをより確実にロックできる。
また、連結軸の一端に、局所的に荷重がかかることを回避でき、樋支持具本体が落下するという危険を防止できる。
【００１８】
さらに、縱回転ロックレバーのロック、アンロックの操作を、雨樋支持具の上方又は下方の何れからでもすることができる。
【００１９】
しかも、取付杆と樋支持具本体の接合面の一方には、係止凸部が形成されると共に、他方には、これに係止される係止凹部を形成しているので、樋支持具本体と取付杆とのスライドを確実にロックできる。
【００２０】
請求項２に係る縱回転ロック式の雨樋支持具は、前方の両側に連結軸を貫通するガイド孔が開設された一対の支持片部を下方に向けて延設すると共に、前方の上側に立起させたストッパー片が形成された取付杆と、上記取付杆の一対の支持片部の間に嵌挿され、前、後にスライド可能な雨樋の樋耳掛止部を備えた樋支持具本体と、下方に開放した略コ状に形成され、その一対の両側片部に上記連結軸を貫通する軸孔が開設され、且つ、閉止された上面の内側には、上記取付杆のストッパー片と係脱可能な係止部が形成された縱回転ロックレバーと、上記樋支持具本体を支持し、且つ、上記縱回転ロックレバーの軸孔と取付杆のガイド孔に横方向から貫通される連結軸とを備え、上記縱回転ロックレバーの上側又は下側の操作部を持って、これをロック位置に縱回転したときには、この縱回転ロックレバーの係止部が、上記取付杆のストッパー片に乗り上げると共に、貫通された連結軸を上方に持ち上げ、この連結軸が上記樋支持具本体を取付杆に圧接して固定させる構造にしている縱回転ロック式の雨樋支持具であって、上記取付杆と樋支持具本体の接合面の一方には、他方に向けて突出された係止凸部が形成されると共に、他方には、長手方向に断続的な穴部が複数形成された上記係止凸部に係止される係止凹部を形成したことを特徴にしている。
【００２１】
請求項２のものでは、上記取付杆と樋支持具本体の接合面の一方には、他方に向けて突出された係止凸部が形成されると共に、他方には、長手方向に断続的な穴部が複数形成された上記係止凸部に係止される係止凹部を形成しているので、樋支持具本体と取付杆が所望の位置でロックされても、これを更に確実にロックできる。
【００２２】
請求項３に係る縱回転ロック式の雨樋支持具は、請求項１又は２の何れかにおいて、上記係止凸部は、複数形成されている。
【００２３】
請求項３のものでは、上記係止凸部は複数形成されているので、樋支持具本体と取付杆が所望の位置でロックされても、これをより確実にロックできる。
【００２４】
【発明の実施の形態】
以下、本発明に係る縱回転ロック式の雨樋支持具を図面に基づき説明する。
【００２５】
図１は、本発明に係る縱回転ロック式の雨樋支持具の分解斜視図、図２は、図１を組立た状態の斜視図である。
【００２６】
この雨樋支持具Ａは、前方の両側に連結軸４を貫通するガイド孔１１が開設された一対の支持片部１２を下方に向けて延設すると共に、前方の上側に立起させたストッパー片１３が形成された取付杆１と、
上記取付杆１の一対の支持片部１２の間に嵌挿され、前、後にスライド可能な雨樋の樋耳掛止部２１を備えた樋支持具本体２と、
下方に開放した略コ状に形成され、その一対の両側片部３１に連結軸４を貫通する軸孔３２が開設され、且つ、閉止された上面の内側には、上記取付杆１のストッパー片１３と係脱可能な係止部３３が形成された縱回転ロックレバー３と、
樋支持具本体２を支持し、且つ、縱回転ロックレバー３の軸孔３２と取付杆１のガイド孔１１に横方向から貫通される連結軸４と、より成る。
【００２７】
取付杆１は、軒先等に固定される取付板１４の上端中央から前方に向けて足杆１５を延設し、この足杆１５の前端に、段落ち形成した連結片部１６を形成している。
【００２８】
この連結片部１６には、上方に向けて切り起こしてストッパー片１３を形成しており、また、連結片部１６の両側には、一対の支持片部１２を下方に向けて延設している。
【００２９】
更に、連結片部１６には、下方に向けて切り起こして係止凸部１７を形成しており、ここでの係止凸部１７は、図示のような爪片に形成されている。
【００３０】
樋支持具本体２は、取付杆１の一対の支持片部１２の間に嵌挿される下方に開放した断面コ状のスライド本体２２を形成して、取付杆１に対して前、後にスライド可能とし、このスライド本体２２の前後端に、雨樋Ｔの耳部を掛止させる樋耳掛止部２１を形成している。
【００３１】
また、樋支持具本体２には、取付杆１との接合面に係止凸部１７に係止される係止凹部２３が形成されており、ここでの係止凹部２３は、図示のような樋支持具本体２の上面に長手方向に凹凸が連続されたものを例示している。
【００３２】
これら取付杆１や樋支持具本体２の形状は、取付場所や雨樋Ｔの形状に応じて適宜選択され、これに限定されるものではない。
【００３３】
縱回転ロックレバー３は、下方に開放した略コ状に形成され、その一対の両側片部３１は、取付杆１の支持片部１２を上方から跨ぐようにして取付けられている。
【００３４】
この両側片部３１には、連結軸４を貫通する軸孔３２が開設されており、この軸孔３２は、支持片部１２のガイド孔１１と重合している。
【００３５】
また、両側片部３１は、少なくとも取付杆１の支持片部１２よりも下方に長く形成しており、そのため、軸孔３２を回転中心として縱回転したときには、両側片部３１の下端側を持ってこれを操作することができる。
【００３６】
また、縱回転ロックレバー３の閉止された上面は、これを持って縱回転操作することができるが、この上面の内側には、取付杆１のストッパー片１３と係脱可能な係止部３３が形成されている。
【００３７】
ここでは、閉止された上面を図のように折り曲げ、その内側に突条部分を形成しているが、要するに、取付杆１のストッパー片１３と係脱可能に形成されるものであれば足りる。
【００３８】
なお、軸孔３２の位置は、連結軸４がガイド孔１１の上端に位置されたときには、係止部３３が取付杆１のストッパー片１３に乗り上げて係合され、また、ガイド孔１１の下端に位置したときには、係止部３３が取付杆１のストッパー片１３から離脱する位置に形成している。
【００３９】
このように形成された縱回転ロックレバー３の軸孔３２の一側方から、図で示すように、リベットなどの連結軸４の軸部４２を挿通して取付杆１のガイド孔１１に貫通させ、樋支持具本体２の下面を支持しながら、対面する取付杆１のガイド孔１１、縱回転ロックレバー３の軸孔３２を更に貫通させた後、その先端を抜け止め加工して、これらを相互に連結している。
【００４０】
このような本発明によれば、連結軸４を横方向から貫通して連結するという新規な構造であるため、この連結軸４が上下する従来の構造とは異なり、連結軸４は回転中心軸として機能すると共に、樋支持具本体２を連結軸４の全体で支持しているため、連結軸４の一端に局所的な荷重がかかることを回避でき、樋支持具本体２が落下するという危険を防止できる。
【００４１】
また、樋支持具本体２を連結軸４で支持しているため、樋支持具本体２に長孔を形成しなくても、これをスライドさせることができるので、樋支持具本体２の強度を高めることができる。
【００４２】
さらに、縱回転ロックレバー３の回転中心位置は、従来のものよりも下方に位置付けされているため、これを縱回転させるときの円周の軌跡を取付杆１の上方では小さくでき、たとえ取付杆１の上側に位置される軒先屋根などがあっても、縱回転ロックレバー３の上方からの操作が容易にできる。
【００４３】
もっとも、上記軒先屋根が縱回転ロックレバー３と近接されており、これを上方から操作できない状況下であっても、縱回転ロックレバー３のロック、アンロックの操作を、雨樋支持具Ａの下方からでもすることができる。
【００４４】
また、この連結軸４にかかる荷重を減少するため、この連結軸４とは別に、取付杆１の一対の支持片部１２に、樋支持具本体２を支持するための支持杆（不図示）を別途に架設することもできる。
【００４５】
このような支持杆（不図示）を別途形成すれば、連結軸４の荷重負担を分散させて軽減できるうえ、樋支持具本体２をより確実に支持できる。
【００４６】
しかも、取付杆１と樋支持具本体２の接合面の一方には、係止凸部１７が形成されると共に、他方には、これに係止される係止凹部２３を形成しているので、樋支持具本体２と取付杆１とのスライドを確実にロックできる。
【００４７】
図３（ａ）、（ｂ）は、縱回転ロックレバーをロック、アンロック状態に操作した動作説明図、図４（ｃ）、（ｄ）は、図３で示したロック、アンロック状態に操作した時の要部の拡大縦断面図である。
【００４８】
ここで、図３（ａ）は、ロック時における雨樋支持具Ａの側面図、図３（ｂ）は、アンロック時における雨樋支持具Ａの側面図を示している。また、図４（ｃ）は、ロック時の要部の拡大縦断面図、図４（ｄ）は、アンロック時の要部の拡大縦断面図である。
【００４９】
なお、図１、２と共通する部位には、共通の符号を付し、その説明は省略している。
【００５０】
このように構成された雨樋支持具Ａの動作を図１〜図４に基づき説明する。
【００５１】
先ず、軒先等に取付杆１の取付板１４を釘、ネジ等で固定する。
【００５２】
そして、樋支持具本体２を取付杆１に対して前、後にスライドさせ、そのスライド位置を決める。
【００５３】
この位置で、縱回転ロックレバー３の上側又は下側の操作部３５を持って、これをロック位置に縱回転すれば、その係止部３３が取付杆１のストッパー片１３に当接する。
【００５４】
そして、これを更に縱方向に回転すれば、その係止部３３が、取付杆１のストッパー片１３に乗り上げる。
【００５５】
この乗り上げと同時に、貫通された連結軸４も上方に持ち上げられ、この連結軸４は樋支持具本体２を上方に持ち上げるため、樋支持具本体２が取付杆１に圧接されると同時に、取付杆１の係止凸部１７が、樋支持具本体２の係止凹部２３に係止されるので、樋支持具本体２の前、後スライドがロックされる〔図３（ａ）、図４（ｃ）参照〕。
【００５６】
一方、ロックを解除するには、縱回転ロックレバー３を、先程とは逆方向、つまり、係止部３３が取付杆１のストッパー片１３から離脱する位置まで縱回転させれば、縱回転ロックレバー３は、取付杆１のストッパー片１３から離脱してズレ落ちると共に、貫通された連結軸４もガイド孔１１に沿って下方にズレ落ち、その結果、この連結軸４と共に樋支持具本体２も下方に下がるため、取付杆１と樋支持具本体２との圧接が解除されると同時に、取付杆１の係止凸部１７と樋支持具本体２の係止凹部２３との係止も解除されるので、樋支持具本体２を所望の位置にスライド移動できるのである〔図３（ｂ）、図４（ｄ）参照〕。
【００５７】
なお、図４（ｃ）で示すように、縱回転ロックレバー３の閉止された上面の端部にストッパー止め部３４を形成すれば、ロック時におけるストッパー片１３を確実に係止させることができる。
【００５８】
図５は、本発明に係る縱回転ロック式の雨樋支持具の第二実施例を示す部分斜視図である。
【００５９】
ここで、図１〜図４と共通する部材には、共通の符号を付し、その説明は省略する。
【００６０】
この縱回転ロック式の雨樋支持具Ａは、樋支持具本体２の長手方向にスライド用長孔２５を形成し、このスライド用長孔２５の側壁に凹凸が連続されて係止凹部２３を形成したものである。
【００６１】
このような構造の縱回転ロック式の雨樋支持具Ａによれば、上記同様に、樋支持具本体２が取付杆１に圧接して固定されると同時に、取付杆１の係止凸部１７が、樋支持具本体２の何れかの係止凹部２３に係止されるので、樋支持具本体２のスライドを所望の位置でより確実にロックできる。
【００６２】
図６は、本発明に係る縱回転ロック式の雨樋支持具の第三実施例を示す部分斜視図である。
【００６３】
ここで、図１〜図４と共通する部材には、共通の符号を付し、その説明は省略する。
【００６４】
この縱回転ロック式の雨樋支持具Ａは、樋支持具本体２の長手方向に断続的な凹所又は穴部が複数形成された係止凹部２３を形成したものである。
【００６５】
このような構造の縱回転ロック式の雨樋支持具Ａによれば、上記同様に、樋支持具本体２が取付杆１に圧接して固定されると同時に、取付杆１の係止凸部１７が、樋支持具本体２の何れかの係止凹部２３に係止されるので、樋支持具本体２のスライドを所望の位置でより確実にロックできる。
【００６６】
図７（ａ）〜（ｄ）は、本発明に係る縱回転ロック式の雨樋支持具のその他の例を示す部分斜視図である。
【００６７】
上記の係止凹部２３及び係止凸部１７は、取付杆１と樋支持具本体２に、入れ替えて形成されても同様であり、図７（ａ）で示すように、樋支持具本体２側に係止凸部１７を形成したものや、図７（ｂ）で示すように、取付杆１側に係止凹部２３を形成しても構わない。
【００６８】
また、図７（ｃ）、（ｄ）で例示するように、取付杆１の係止凸部１７の形状や、樋支持具本体２の係止凹部２３の形状（不図示）も様々なものを形成でき、これらの組合せによって種々の縱回転ロック式の雨樋支持具Ａを形成できる。
【００６９】
【発明の効果】
本発明によれば、次のような効果がある。
【００７０】
請求項１に係る縱回転ロック式の雨樋支持具によれば、上記取付杆と樋支持具本体の接合面の一方には、他方に向けて突出された係止凸部が形成されると共に、他方には、長手方向に形成されたスライド用長孔の側壁に凹凸が連続された上記係止凹部を形成しているので、樋支持具本体と取付杆が所望の位置でロックされても、これをより確実にロックできる。
また、連結軸の一端に、局所的に荷重がかかることを回避でき、樋支持具本体が落下するという危険を防止できる。
【００７１】
さらに、縱回転ロックレバーのロック、アンロックの操作を、雨樋支持具の上方又は下方の何れからでもすることができる。
【００７２】
しかも、取付杆と樋支持具本体の接合面の一方には、係止凸部が形成されると共に、他方には、これに係止される係止凹部を形成しているので、樋支持具本体と取付杆とのスライドを確実にロックできる。
【００７３】
請求項２に係る縱回転ロック式の雨樋支持具によれば、上記取付杆と樋支持具本体の接合面の一方には、他方に向けて突出された係止凸部が形成されると共に、他方には、長手方向に断続的な凹所又は穴部が複数形成された上記係止凹部を形成しているので、樋支持具本体と取付杆が所望の位置でロックされても、これを更に確実にロックできる。
【００７４】
請求項３に係る縱回転ロック式の雨樋支持具によれば、上記係止凸部は複数形成されているので、樋支持具本体と取付杆が所望の位置でロックされても、これをより確実にロックできる。
【図面の簡単な説明】
【図 １】本発明に係る縱回転ロック式の雨樋支持具の分解斜視図
【図 ２】図１を組立た状態の斜視図
【図 ３】（ａ）、（ｂ）は、縱回転ロックレバーをロック、アンロック状態に操作した動作説明図
【図 ４】（ｃ）、（ｄ）は、図３で示したロック、アンロック状態に操作した時の要部の拡大縦断面図
【図 ５】本発明に係る縱回転ロック式の雨樋支持具の第二実施例を示す分解状態図
【図 ６】本発明に係る縱回転ロック式の雨樋支持具の第三実施例を示す分解状態図
【図 ７】（ａ）〜（ｄ）は、本発明に係る縱回転ロック式の雨樋支持具のその他の例を示す部分斜視図
【図 ８】従来の縱回転ロック式の雨樋支持具を示す概略側面図
【符号の説明】
Ａ      縱回転ロック式の雨樋支持具
Ｔ      雨樋
１      取付杆
１１    ガイド孔
１２    支持片部
１３    ストッパー片
１７    係止凸部
２      樋支持具本体
２１    樋耳掛止部
２３    係止凹部
３      縱回転ロックレバー
３１    両側片部
３２    軸孔
３３    係止部
３５    （上、下）操作部
４      連結軸
【図１】
0003929317.tif 000002
【図２】
0003929317.tif 000003
【図３】
0003929317.tif 000004
【図４】
0003929317.tif 000005
【図５】
0003929317.tif 000006
【図６】
0003929317.tif 000007
【図７】
0003929317.tif 000008
【図８】
0003929317.tif 000009